(57)【特許請求の範囲】
【請求項１】
車体フレーム（１１）のメインフレーム（１３）の直ぐ下方に駆動用バッテリ（２）を積載すると共に、駆動用モータユニット（３）を前記車体フレーム（１１）に固定的に支持する鞍乗り型電動車両（１）であって、
前記駆動用モータユニット（３）のモータ本体（３ａ）が、リヤスイングアーム（１４）のピボット（１７ａ）よりも下方に配置されると共に、前記モータ本体（３ａ）の少なくとも一部が、前記ピボット（１７ａ）よりも後方に配置され、
前記メインフレーム（１３）には前記駆動用モータユニット（３）を支持する前後モータ支持ブラケット（１５，１６）が設けられ、前記モータ本体（３ａ）の駆動軸線（Ｃ１）が前記前後モータ支持ブラケット（１５，１６）の間に配置されることを特徴とする鞍乗り型電動車両。
【請求項２】
前記モータ本体（３ａ）の駆動軸線（Ｃ１）が、前記ピボット（１７ａ）よりも後方に配置されることを特徴とする請求項１に記載の鞍乗り型電動車両。
【請求項３】
前記モータ本体（３ａ）の全体が、前記ピボット（１７ａ）よりも後方に配置されることを特徴とする請求項１又は２に記載の鞍乗り型電動車両。
【請求項４】
前記駆動用モータユニット（３）が、前記モータ本体（３ａ）の駆動力を受けて作動する従動部（２８）を有し、前記モータ本体（３ａ）が、車体左右中心（ＣＬ）に対して左右方向一側に偏倚して配置され、このモータ本体（３ａ）の左右方向他側に、前記従動部（２８）が配置されることを特徴とする請求項１から３の何れか１項に記載の鞍乗り型電動車両。
【請求項５】
前記従動部（２８）の出力軸（２８ａ）が、前記モータ本体（３ａ）の駆動軸（３ｂ）よりも後方に配置されることを特徴とする請求項４に記載の鞍乗り型電動車両。
【請求項６】
前記従動部（２８）の出力軸（２８ａ）が、前記ピボット（１７ａ）よりも後方に配置されることを特徴とする請求項４又は５に記載の鞍乗り型電動車両。
【請求項７】
前記メインフレーム（１３）の前端部下側から下方に向けて延出し、車体下部にて後方に湾曲して延びるダウンフレーム（２１）を備え、
前記ダウンフレーム（２１）は、その後端部が前記駆動用モータユニット（３）に連結され、このダウンフレーム（２１）に前記駆動用バッテリ（２）が固定されることを特徴とする請求項１から６の何れか一項に記載の鞍乗り型電動車両。
【請求項８】
車体フレーム（１１）の前部から下方に延びるダウンフレーム（２１）と、前記ダウンフレーム（２１）の後方に配置される前記駆動用バッテリ（２）とを備え、
前記ダウンフレーム（２１）が、このダウンフレーム（２１）内に走行風を導入可能とする走行風導入口（３２ａ）と、前記ダウンフレーム（２１）内に導入した走行風を排出可能とする走行風排出口（３２ｂ）とを有し、
前記駆動用バッテリ（２）が、冷却風導入部（２７）を有するバッテリケース（２３）内に収容され、前記走行風排出口（３２ｂ）が前記冷却風導入部（２７）に接続されることを特徴とする請求項１から７の何れか一項に記載の鞍乗り型電動車両。
【請求項９】
前記ダウンフレーム（２１）が、前記車体フレーム（１１）の前部から下方に延びる下方延出部（２１ａ）と、この下方延出部（２１ａ）の下端部から後方に延びる後方延出部（２１ｂ）とを有し、前記下方延出部（２１ａ）の後方で前記後方延出部（２１ｂ）の上方に、前記駆動用バッテリ（２）が配置されることを特徴とする請求項８に記載の鞍乗り型電動車両。
【請求項１０】
前記駆動用バッテリ（２）が、前記ダウンフレーム（２１）に支持されることを特徴とする請求項８又は９に記載の鞍乗り型電動車両。
【請求項１１】
前記冷却風導入部（２７）が、前記バッテリケース（２３）の下部に設けられることを特徴とする請求項８から１０の何れか１項に記載の鞍乗り型電動車両。
【請求項１２】
前記バッテリケース（２３）が、その内部の冷却風を排出可能とする排風口（３５）を有し、前記排風口（３５）が前記バッテリケース（２３）の上部に設けられることを特徴とする請求項８から１１の何れか１項に記載の鞍乗り型電動車両。
【請求項１３】
前記車体フレーム（１１）及び駆動用バッテリ（２）を覆う車体カバー（９）を備え、前記車体カバー（９）に、前記排風口（３５）の後方へ走行風を導く走行風取り入れ口（９ａ）が設けられることを特徴とする請求項１２に記載の鞍乗り型電動車両。
【発明の詳細な説明】
【技術分野】
【０００１】
本発明は、電動二輪車等の鞍乗り型電動車両に関する。
【背景技術】
【０００２】
従来、鞍乗り型電動車両において、ヘッドパイプから後方に延びるメインフレームの下方に駆動用モータユニットを固定的に支持すると共に、この駆動用モータユニットの下方に駆動用バッテリを配置したものがある（例えば、特許文献１参照）。前記駆動用モータユニットは、その前部にモータ本体を有すると共に、モータ本体の後方に延出する変速機（従動部）を有している。前記変速機の後端はリヤスイングアームのピボットの直前に位置している。
【先行技術文献】
【特許文献】
【０００３】
【特許文献１】特開２０００−０３８１８３号公報
【発明の概要】
【発明が解決しようとする課題】
【０００４】
ところで、上記従来の構成においては、駆動用バッテリを車体下部に配置することから、その積載スペースに制限が多く、走行距離を延ばすためにもバッテリ積載スペースを多く確保することが望まれている。このため、駆動用バッテリを比較的スペースの大きい前記駆動用モータユニットの支持位置（メインフレームの直ぐ下方）に積載することが考えられるが、反面、駆動用モータユニットの配置が課題となる。
【０００５】
そこで本発明は、バッテリ積載スペースを多く確保した上で駆動用モータユニットを効率よく配置することができる鞍乗り型電動車両を提供することを目的とする。
【課題を解決するための手段】
【０００６】
上記課題の解決手段として、請求項１に記載した発明は、車体フレーム（１１）のメインフレーム（１３）の直ぐ下方に駆動用バッテリ（２）を積載すると共に、駆動用モータユニット（３）を前記車体フレーム（１１）に固定的に支持する鞍乗り型電動車両（１）であって、前記駆動用モータユニット（３）のモータ本体（３ａ）が、リヤスイングアーム（１４）のピボット（１７ａ）よりも下方に配置されると共に、前記モータ本体（３ａ）の少なくとも一部が、前記ピボット（１７ａ）よりも後方に配置され、前記メインフレーム（１３）には前記駆動用モータユニット（３）を支持する前後モータ支持ブラケット（１５，１６）が設けられ、前記モータ本体（３ａ）の駆動軸線（Ｃ１）が前記前後モータ支持ブラケット（１５，１６）の間に配置されることを特徴とする。
なお、前記鞍乗り型電動車両には、車体を跨いで乗車する車両全般が含まれ、自動二輪車のみならず、三輪（前一輪かつ後二輪の他に、前二輪かつ後一輪の車両も含む）又は四輪の車両も含まれる。
請求項２に記載した発明は、前記モータ本体（３ａ）の駆動軸線（Ｃ１）が、前記ピボット（１７ａ）よりも後方に配置されることを特徴とする。
請求項３に記載した発明は、前記モータ本体（３ａ）の全体が、前記ピボット（１７ａ）よりも後方に配置されることを特徴とする。
請求項４に記載した発明は、前記駆動用モータユニット（３）が、前記モータ本体（３ａ）の駆動力を受けて作動する従動部（２８）を有し、前記モータ本体（３ａ）が、車体左右中心（ＣＬ）に対して左右方向一側に偏倚して配置され、このモータ本体（３ａ）の左右方向他側に、前記従動部（２８）が配置されることを特徴とする。
請求項５に記載した発明は、前記従動部（２８）の出力軸（２８ａ）が、前記モータ本体（３ａ）の駆動軸（３ｂ）よりも後方に配置されることを特徴とする。
請求項６に記載した発明は、前記従動部（２８）の出力軸（２８ａ）が、前記ピボット（１７ａ）よりも後方に配置されることを特徴とする。
請求項７に記載した発明は、前記メインフレーム（１３）の前端部下側から下方に向けて延出し、車体下部にて後方に湾曲して延びるダウンフレーム（２１）を備え、前記ダウンフレーム（２１）は、その後端部が前記駆動用モータユニット（３）に連結され、このダウンフレーム（２１）に前記駆動用バッテリ（２）が固定されることを特徴とする。
請求項８に記載した発明は、車体フレーム（１１）の前部から下方に延びるダウンフレーム（２１）と、前記ダウンフレーム（２１）の後方に配置される前記駆動用バッテリ（２）とを備え、前記ダウンフレーム（２１）が、このダウンフレーム（２１）内に走行風を導入可能とする走行風導入口（３２ａ）と、前記ダウンフレーム（２１）内に導入した走行風を排出可能とする走行風排出口（３２ｂ）とを有し、前記駆動用バッテリ（２）が、冷却風導入部（２７）を有するバッテリケース（２３）内に収容され、前記走行風排出口（３２ｂ）が前記冷却風導入部（２７）に接続されることを特徴とする。
新請求項９に記載した発明は、前記ダウンフレーム（２１）が、前記車体フレーム（１１）の前部から下方に延びる下方延出部（２１ａ）と、この下方延出部（２１ａ）の下端部から後方に延びる後方延出部（２１ｂ）とを有し、前記下方延出部（２１ａ）の後方で前記後方延出部（２１ｂ）の上方に、前記駆動用バッテリ（２）が配置されることを特徴とする。
請求項１０に記載した発明は、前記駆動用バッテリ（２）が、前記ダウンフレーム（２１）に支持されることを特徴とする。
請求項１１に記載した発明は、前記冷却風導入部（２７）が、前記バッテリケース（２３）の下部に設けられることを特徴とする。
請求項１２に記載した発明は、前記バッテリケース（２３）が、その内部の冷却風を排出可能とする排風口（３５）を有し、前記排風口（３５）が前記バッテリケース（２３）の上部に設けられることを特徴とする。
請求項１３に記載した発明は、前記車体フレーム（１１）及び駆動用バッテリ（２）を覆う車体カバー（９）を備え、前記車体カバー（９）に、前記排風口（３５）の後方へ走行風を導く走行風取り入れ口（９ａ）が設けられることを特徴とする。
【発明の効果】
【０００７】
請求項１に記載した発明によれば、従来の駆動用モータユニットの支持位置を駆動用バッテリの搭載スペースとして利用した場合でも、ピボット位置を後方にずらすことなく駆動用モータユニットを後方移動させることができる。すなわち、バッテリ積載スペースを多く確保した上で駆動用モータユニットを効率よく配置することができる。
請求項２，３に記載した発明によれば、駆動用モータユニットをできるだけ後方に配置することで、バッテリ搭載スペースのさらなる拡大を図ることができる。
請求項４に記載した発明によれば、駆動用モータユニットの前後幅及び上下幅の増大を抑えて駆動用モータユニットの配置自由度を高めると共に、バッテリ搭載スペースのさらなる拡大を図ることができる。
請求項５，６に記載した発明によれば、従動部の配置スペースを前後に広げることができる。
【図面の簡単な説明】
【０００８】
【図１】本発明の実施形態における鞍乗り型電動車両の左側面図である。
【図２】図１の要部拡大図である。
【図３】図２のＩＩＩ−ＩＩＩ断面図である。
【図４】図２のＩＶ−ＩＶ断面図である。
【図５】図２のＶ−Ｖ断面図である。
【図６】図５のＶＩ−ＶＩ断面図である。
【図７】上記鞍乗り型電動車両のバッテリユニットの冷却構造を示す左側面図である。
【図８】図５のＶＩＩＩ−ＶＩＩＩ断面図である。
【図９】上記鞍乗り型電動車両のダウンフレームの斜視図である。
【発明を実施するための形態】
【０００９】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。
【００１０】
図１に示す鞍乗り型電動車両１は、車体中央前側に走行用のバッテリ（駆動用バッテリ）２を搭載すると共に、車体中央後側には走行用のモータユニット３を搭載し、バッテリ２からの電力によりモータユニット（駆動用モータユニット）３を駆動させると共に、その駆動力を駆動輪たる後輪４に伝達して走行する。
【００１１】
鞍乗り型電動車両１は自動二輪車の態様をなし、その前輪５は左右一対のフロントフォーク６の下端部に軸支され、左右フロントフォーク６の上部はステアリングステム７を介して車体フレーム１１前端のヘッドパイプ１２に操向可能に枢支される。ステアリングステム７の上部には操向ハンドル８が取り付けられる。
【００１２】
ヘッドパイプ１２からは、単一のメインフレーム１３が車体左右中央を後下がりに後方に延出する。メインフレーム１３の後部下側には、モータユニット３の上端部が固定的に支持されると共に、スイングアーム（リヤスイングアーム）１４の前端部が上下揺動可能に支持される。スイングアーム１４の後端部には後輪４が軸支される。
【００１３】
図２，３に示すように、メインフレーム１３の後部下側には、前後モータ支持ブラケット１５，１６がそれぞれ左右一対に設けられる。これら左右の前後モータ支持ブラケット１５，１６間にモータユニット３の上端部が入り込み、これらがボルト締結等により結合されることで、メインフレーム１３の後部下側にモータユニット３の上端部が固定的に支持される。
【００１４】
本発明によれば、従来の駆動用モータユニットの支持位置を駆動用バッテリの搭載スペースとして利用した場合でも、ピボット位置を後方にずらすことなく駆動用モータユニットを後方移動させることができる。すなわち、バッテリ積載スペースを多く確保した上で駆動用モータユニットを効率よく配置することができる。
本発明によれば、駆動用モータユニットをできるだけ後方に配置することで、バッテリ搭載スペースのさらなる拡大を図ることができる。
本発明によれば、駆動用モータユニットの前後幅及び上下幅の増大を抑えて駆動用モータユニットの配置自由度を高めると共に、バッテリ搭載スペースのさらなる拡大を図ることができる。
本発明によれば、従動部の配置スペースを前後に広げることができる。
【００１５】
図１に示すように、メインフレーム１３の前端部下側からは、下方に向けてダウンフレーム２１が延出する。ダウンフレーム２１は、車体下部にて後方に湾曲して延び、その後端部が連結ブラケット２２を介してモータユニット３の下端部前側に連結される。以下、ダウンフレーム２１におけるメインフレーム１３の前端部下側から下方に延びる部位を下方延出部２１ａ、車体下部にて後方に延びる部位を後方延出部２１ｂという。
【００１６】
メインフレーム１３の後部からはシートフレーム１８が後上がりに後方に延びる。シートフレーム１８上には乗員着座用のシート１８ａが支持される。シートフレーム１８とスイングアーム１４の後端部との間にはクッションユニット１９が介設される。自動二輪車１の車体は車体カバー９により適宜覆われる。
【００１７】
メインフレーム１３の前部の直ぐ下方であってダウンフレーム２１の下方延出部２１ａの直ぐ後方には、前記バッテリ２が搭載される。
バッテリ２は、例えば上下に並ぶ複数の単バッテリを直列に結線して所定の高電圧（４８〜７２Ｖ）を発生するもので、側面視で下方延出部２１ａに沿って起立する直方体形状のバッテリケース２３内に収容される。バッテリ２及びバッテリケース２３は、一体のバッテリユニット２Ａとして取り扱われる。下方延出部２１ａ及びバッテリケース２３は、側面視で長手方向が鉛直方向に対してやや前傾した傾斜姿勢で配置される。なお、前記単バッテリは適宜充放電可能なエネルギーストレージであり、例えばリチウムイオンバッテリ、ニッケル水素バッテリ、鉛バッテリ等からなる。
【００１８】
バッテリ２（バッテリケース２３）の前部の上下には、ダウンフレーム２１の下方延出部２１ａに対してボルト締結等により連結される上下連結部２４，２５がそれぞれ一体形成される。バッテリ２（バッテリケース２３）の下端部後側には、ダウンフレーム２１の後方延出部２１ｂの後端部に対してボルト締結等により連結される下突出部（冷却風導入部）２７が一体形成される。これら上下連結部２４，２５及び下方突出部２７を介して、バッテリ２が車体フレーム１１及びモータユニット３に固定的かつ着脱可能に支持される。
【００１９】
下突出部２７は、バッテリケース２３の内部空間に連通する中空状をなし（図８参照）、その左右側部にダウンフレーム２１の後方延出部２１ｂの左右後端部がそれぞれボルト締結等により連結される。後方延出部２１ｂの後端部には、前記連結ブラケット２２の前端部が溶接又は下突出部２７との共締めにより一体に連結される。これにより、バッテリケース２３（バッテリ２）の下端部がダウンフレーム２１及びモータユニット３に固定的かつ着脱可能に支持される。
【００２０】
図２，４に示すように、モータユニット３は、その後部に左右方向に沿う回転中心軸線（駆動軸線）Ｃ１を有するモータ本体３ａ及びその従動部である減速機構２８を左右に隣接させて配置すると共に、その前部にはモータドライバたるＰＤＵ（power driver unit）及びこれを制御するＥＣＵ（electric control unit）を一体化した制御ユニット２９を配置し、かつこの制御ユニット２９の直下にはコンタクタ２９ａを配置し、これらを単一のケーシング３１内に収容した構成を有する。なお、図２中符号２９ｂはバッテリ２からコンタクタ２９ａに至るバッテリ出力ケーブルを示す。前記各モータ支持ブラケット１５，１６及び連結ブラケット２２はケーシング３１に連結されている。
【００２１】
モータ本体３ａの回転駆動力は、平行軸歯車機構たる前記減速機構２８を介してその出力軸（モータユニット３の外部出力部でもある）２８ａに出力され、さらに例えばチェーン式伝動機構４ａを介して後輪４に伝達される。なお、モータ本体３ａは例えばＶＶＶＦ（variable voltage variable frequency）制御が行われるが、手動又は自動の変速機やクラッチを有する構成であってもよい。
【００２２】
減速機構２８は、モータ本体３ａの駆動軸３ｂの先端部に設けられる小径ギヤ２８ｂと、小径ギヤ２８ｂに噛み合う大径ギヤ２８ｃと、大径ギヤ２８ｃの右側に隣接する第二小径ギヤ２８ｄと、第二小径ギヤ２８ｄに噛み合う第二大径ギヤ２８ｅとを有する。第二大径ギヤ２８ｅの左方には出力軸２８ａが突出する。大径ギヤ２８ｃ及び第二小径ギヤ２８ｄを支持するアイドル軸２８ｆは、駆動軸３ｂ及び出力軸２８ａに対して前方にオフセットして配置される。これにより、減速機構２８の高さを抑えつつ減速比を稼ぐことができる。
【００２３】
図３を併せて参照し、モータ本体３ａは、車体左右中心ＣＬに対して右側にオフセットして配置される。このモータ本体３ａの右側部を収容するべく、ケーシング３１下部の後部右側には、右方に張り出す有底円筒状のモータ収容部３１ａが形成される。ケーシング３１は、車体左右中心ＣＬを跨ぐ左側部３１ｂと、モータ収容部３１ａを形成する右側部３１ｃと、減速機構２８を収容するギヤケース３１ｄとに分割構成される。
【００２４】
図２，５，６に示すように、制御ユニット２９は、その外ケース２９ｃの前面をモータユニット３のケーシング３１の前面から前方に露出させる。外ケース２９ｃの前面には、上下に延びる放熱フィン２９ｄが複数形成される。放熱フィン２９ｄには、例えば車体カバー９に設けた走行風取り入れ口９ａからカバー内に取り入れた走行風が供給される。これにより、後述するバッテリケース２３の排風口３５からの温風により制御ユニット等の冷却性が阻害されることが抑制される。
【００２５】
また、排風口３５から排出される空気は、走行風取り入れ口９ａから取り入れた走行風が制御ユニット２９の放熱フィン２９ｄに沿って下方に流れることにより引っ張られ、バッテリケース２３内の空気の走行風（冷却風）の流量を多くする。
なお、図６中符号２９ｅは制御ユニット２９からモータ本体３ａに至る三相のモータケーブルを、符号２９ｆはモータケーブル２９ｅを挿通するべくケーシング３１に装着されるグロメットをそれぞれ示す。
【００２６】
ここで、図２に示すように、モータ本体３ａは、その上端ｔ１がピボット１７ａよりも下方に位置するように（すなわち、モータ本体３ａ全体がピボット１７ａよりも下方に位置するように）配置される。これにより、ピボット１７ａの後方移動を抑えながらも、モータ本体３ａを可及的に後方移動できる。
【００２７】
図２において、モータ本体３ａは、その後部がピボット１７ａよりも後方に位置するように（さらには、駆動軸線Ｃ１がピボット１７ａよりも後方に位置するように）配置される。なお、図２ではモータ本体３ａの前端ｔ２がピボット１７ａよりも前方に位置しているが、この前端ｔ２がピボット１７ａよりも後方に位置する（モータ本体３ａの全体がピボット１７ａよりも後方に位置する）構成としてもよい。
【００２８】
このように、ピボット１７ａの後方移動を抑えてスイングアーム１４長や軸距への影響を抑えながらも、モータ本体３ａを可及的に後方に配置してバッテリ搭載スペースの拡大に寄与できる。また、比較的重量のあるモータ本体３ａを下方に配置することで、鞍乗り型電動車両１の低重心化にも寄与できる。さらに、モータ本体３ａとその従動部たる減速機構２８とを左右方向で隣接させることで、モータ本体３ａ周辺の前後幅及び上下幅の拡大を抑えてピボット１７ａの配置自由度を向上できる。
【００２９】
また、モータユニット３の出力軸２８ａは、上下方向でピボット１７ａとモータ本体３ａの駆動軸３ｂとの間に位置するように配置される。出力軸２８ａのケーシング３１からの突出部分（左端部）には、前記チェーン式伝動機構４ａのドライブスプロケット４ｂが一体回転可能に取り付けられる（図３，４参照）。これにより、ドライブスプロケット４ｂがピボット１７ａの近傍に配置されることとなる。
【００３０】
図７，８に示すように、ダウンフレーム２１は、バッテリケース２３内にバッテリ冷却用の走行風を導入するための走行風導入ダクトとしても機能する。
図９を併せて参照し、ダウンフレーム２１は、例えば左右一対のダウンチューブ３２で構成される。左右ダウンチューブ３２は、それぞれ円形鋼管を所望形状に屈曲形成してなり、その上端部が前方に屈曲して車両前方に開口すると共に、後端部が左右方向内側に屈曲してバッテリケース２３の下突出部２７の左右両側にそれぞれ結合される。これら左右ダウンチューブ３２の上端開口が走行風導入口３２ａとなり、左右ダウンチューブ３２の後端開口が走行風排出口３２ｂとなる。
【００３１】
ダウンフレーム２１の上端部には支持ブラケット３３が固設され、この支持ブラケット３３がメインフレーム１３の前端部下側にボルト締結等により着脱可能に固定される（図１参照）。一方、ダウンフレーム２１の後端部は、前述の如くバッテリケース２３の下突出部２７にボルト締結等により着脱可能に固定される。なお、図中符号３４は左右ダウンチューブ３２の後端部内側端に固設された固定フランジを示す。
【００３２】
バッテリケース２３内には、バッテリ２が所定の間隙を有して収容される。そして、ダウンフレーム２１を通じて下突出部２７からバッテリケース２３内に導入された走行風は、バッテリ２から熱を奪いつつ上昇気流となってバッテリケース２３内を上昇し、バッテリケース２３の上端部の例えば後部一側に形成された排風口３５よりケース外部に排出される。なお、バッテリケース２３内には、バッテリ２の充放電状況や温度等を監視する不図示のＢＭＵ（battery managing unit）も収容されて、バッテリ２と一体的に取り扱われる。
【００３３】
以上説明したように、上記実施形態における鞍乗り型電動車両１は、車体フレーム１１のメインフレーム１３の直ぐ下方に駆動用バッテリ２を積載すると共に、モータユニット３を前記車体フレーム１１に固定的に支持するものであって、前記モータユニット３が、スイングアーム１４のピボット１７ａよりも下方に配置されるものである。
この構成によれば、従来のモータユニット３の支持位置を駆動用バッテリ２の搭載スペースとして利用した場合でも、ピボット位置を後方にずらすことなくモータユニット３を後方移動させることができる。すなわち、バッテリ積載スペースを多く確保した上でモータユニット３を効率よく配置することができる。
【００３４】
また、上記鞍乗り型電動車両１は、前記モータユニット３の少なくとも一部が前記ピボット１７ａよりも後方に配置されるか、前記モータユニット３の駆動軸線Ｃ１が前記ピボット１７ａよりも後方に配置されるか、前記モータユニット３の全体が前記ピボット１７ａよりも後方に配置されるものである。
この構成によれば、モータユニット３をできるだけ後方に配置することで、バッテリ搭載スペースのさらなる拡大を図ることができる。
【００３５】
また、上記鞍乗り型電動車両１は、前記モータユニット３が、左右方向に沿う駆動軸線Ｃ１を有するモータ本体３ａと、前記モータ本体３ａの駆動力を受けて作動する従動部（減速機構２８）とを有し、前記モータ本体３ａが、車体左右中心ＣＬに対して左右方向一側に偏倚して配置され、このモータ本体３ａの左右方向他側に、前記従動部が配置されるものである。
この構成によれば、モータユニット３の前後幅及び上下幅の増大を抑えてモータユニット３の配置自由度を高めると共に、バッテリ搭載スペースのさらなる拡大を図ることができる。
【００３６】
なお、本発明は上記実施形態に限られるものではなく、例えば、前記鞍乗り型電動車両には、車体を跨いで乗車する車両全般が含まれ、自動二輪車のみならず、三輪（前一輪かつ後二輪の他に、前二輪かつ後一輪の車両も含む）又は四輪の車両も含まれる。
そして、上記実施形態における構成は本発明の一例であり、当該発明の要旨を逸脱しない範囲で種々の変更が可能であることはいうまでもない。
【符号の説明】
【００３７】
１  鞍乗り型電動車両
２  駆動用バッテリ
３  モータユニット（駆動用モータユニット）
３ａ  モータ本体
３ｂ  駆動軸
Ｃ１  駆動軸線
１１  車体フレーム
１３  メインフレーム
１４  スイングアーム（リヤスイングアーム）
１７ａ  ピボット
２８  減速機構（従動部）
２８ａ  出力軸
ＣＬ  車体左右中心
【図１】
0005542626.tif 000002
【図２】
0005542626.tif 000003
【図３】
0005542626.tif 000004
【図４】
0005542626.tif 000005
【図５】
0005542626.tif 000006
【図６】
0005542626.tif 000007
【図７】
0005542626.tif 000008
【図８】
0005542626.tif 000009
【図９】
0005542626.tif 000010